(57)【要約】【課題】複数人の体温を体温計を使用することなく一度に測定し、複数人の個々を識別し、特定対象者の体温の異常を検知する体温分析装置を提供すること。【解決手段】空間領域に存在する複数人を撮影する赤外線カメラからの熱画像を読み取る画像読取処理ユニット３００と、複数人の各位置情報を読み取る位置情報読取処理ユニット３０４と、を備えた体温分析装置であって、画像読取処理ユニットから得られた複数人に対応する分析座標と体温分布色の情報と、体温分布色に対応する体温値との関係を示す設定テーブル３０２からの情報と、を照合して体温分析テーブル３０１を作成する体温分析処理ユニット３０３を設け、体温分析テーブル３０１は、複数人に対応する、分析座標、体温分布色及び対応体温値を有し、複数人に対応する対応体温値の内で規定の体温値以上のものが存在する場合、体温異常の情報を通知３０８する。【選択図】図３
2006174919.tif 000002
【特許請求の範囲】
【請求項１】
空間領域に存在する複数人を撮影する赤外線カメラからの熱画像を読み取る画像読取処理ユニットと、前記複数人の各位置情報を読み取る位置情報読取処理ユニットと、を備えた体温分析装置であって、
前記画像読取処理ユニットから得られた前記複数人に対応する分析座標と体温分布色の情報と、体温分布色に対応する体温値との関係を示す設定データからの情報と、を照合して体温分析データを作成する体温分析処理ユニットを設け、
前記体温分析データは、前記複数人に対応する、分析座標、体温分布色及び対応体温値を有し、
前記複数人に対応する対応体温値の内で規定の体温値以上のものが存在する場合、体温異常の情報を通知する
ことを特徴とする体温分析装置。
【請求項２】
請求項１に記載の体温分析装置において、
前記位置情報読取処理ユニットから得られた前記複数人に対応する位置情報送信装置Ｎｏと位置座標の情報と、前記位置情報送信装置Ｎｏと前記複数人の個人との関係を示す個人情報データからの情報と、を照合して個人の識別を行う個人識別処理ユニットを設け、
前記個人識別処理ユニットは、前記規定体温値以上のものが存在する場合に限り、個人を特定して体温異常の情報を通知する
ことを特徴とする体温分析装置。
【請求項３】
請求項２に記載の体温分析装置において、
前記通知する体温異常の情報は、個人名、データ取得時刻、体温値からなることを特徴とする体温分析装置。
【発明の詳細な説明】
【技術分野】
【０００１】
本発明は、室内空間における複数人の体温による熱画像と複数人の位置情報とに基づいて個人識別して体温を測定する体温分析装置（サーバ）体温並びに体温測定システムに関する。
【背景技術】
【０００２】
人の体温を測定するには、体温計を用いて測定することが一般的である。体温計には、腋下、舌下で測定するものや、また、額に短時間触れさせるだけで測定できるものがある。
【０００３】
また、体温計を用いないで行う体温計測に関する技術としては、赤外線カメラによって人体の体温分布をモニタに表示させ、目視によって体温の高低を判断する技術や、人物及び物体の通常画像に熱分布画像をかぶせて表示し、目視によって物体及び人物の詳細な熱分布を取得する技術などが提案されている。
【０００４】
また、複数人に対する赤外線カメラを用いた測定技術としては、例えば、特許文献１や特許文献２に開示されている。特許文献１によると、複数人に対する赤外線カメラでの体温測定の場合に、一人一人の個別の情報に切り分ける。具体的には、背景温度から高温部を切り出し、一人の人間は１つの極大値を持つものとして、切り出した領域の極大値の数で人数検出を行うことが記載されている。また、特許文献２によると、複数人に対する赤外線カメラを用いた人数測定システムにおいて、広い空間での大量の人数を正確に把握するために、周囲より高温の領域を気温等に応じて変化する閾値で切り出し、切り出した領域の面積と、対象とする会場の人の占有率等から人数を割り出すことが記載されている。
【特許文献１】特許３４５３８７０号公報
【特許文献２】特許３４１４６３４号公報
【発明の開示】
【発明が解決しようとする課題】
【０００５】
しかしながら、上述した従来の体温測定システムによると、測定結果を目視・判断する人員が必ず必要になる。体温測定対象者が多人数にわたり、体温測定を頻繁に実施する必要がある場合に、目視・判断する人員にかかる負担は大きい。例としては、病院での入院患者の体温管理や、保育園・託児所などでの乳幼児の体温管理などが挙げられる。特に、動き回る乳幼児に対し、体温計による正確な体温測定を実施するには手間がかかることが多い。
【０００６】
また、特許文献１，２では、赤外線カメラを用いて室内領域に存在する人体の領域や人数を検出することが開示されているに過ぎず、室内領域に存在する多数の人の体温を個別に検出し異常体温を通知することについてはなんら配慮されていない。
【０００７】
本発明の目的は、複数人の体温を体温計を使用することなく一度に測定し、複数人の個々を識別し、特定対象者の体温の異常を検知する体温分析装置及びこれを用いた体温測定システムを提供することにある。
【課題を解決するための手段】
【０００８】
本発明において、空間領域に存在する複数人を撮影する赤外線カメラからの熱画像を読み取る画像読取処理ユニットと、複数人の各位置情報を読み取る位置情報読取処理ユニットと、を備えた体温分析装置であって、画像読取処理ユニットから得られた複数人に対応する分析座標と体温分布色の情報と、体温分布色に対応する体温値との関係を示す設定テーブルからの情報と、を照合して体温分析テーブルを作成する体温分析処理ユニットを設け、体温分析テーブルは、複数人に対応する、分析座標、体温分布色及び対応体温値を有し、複数人に対応する対応体温値の内で規定の体温値以上のものが存在する場合、体温異常の情報を通知する。
【発明の効果】
【０００９】
本発明によると、複数人の体温を体温計を使用することなく一度に測定するとともに、複数人の個々を識別し、特定の対象者の体温に異常を察知した場合に観察者などに通知するプロセスを全て自動で行うことができる。
【発明を実施するための最良の形態】
【００１０】
本発明の実施形態に係る複数人の体温分析装置及び体温測定システムについて、図１〜図８を参照しながら以下詳細に説明する。図１は本発明の実施形態に係る複数人の体温測定システムの全体構成を示すブロック図である。図２は本実施形態に係る体温測定システムの動作手順をしめすフローチャートである。図３は本実施形態に係る体温分析装置の内部構成を示す図である。図４は本実施形態に係る体温分析装置に用いられる画像分析設定テーブルと体温分析テーブルを示す図である。図５は本実施形態に係る体温分析装置に用いられる位置情報読取テーブルを示す図である。図６は本実施形態に係る体温分析装置に用いられる個人情報テーブルを示す図である。図７は本実施形態に係る体温分析装置から出力される体温情報送信用データを示す図である。図８は赤外線カメラで撮影された画像を示す図である。
【００１１】
図面において、１０１は赤外線カメラ、１０２は位置情報送信装置、１０３は位置情報受信装置、１０４は体温分析装置、１０５は情報通知装置、１０６はケーブル、１０７は携帯端末、３００は画像読取処理ユニット、３０１は 体温分析テーブル、３０２は画像分析設定テーブル、３０３は体温分析処理ユニット、３０４は位置情報読取処理ユニット、３０５は位置情報読取テーブル、３０６は個人情報テーブル、３０７は個人識別処理ユニット、３０８は体温情報送信用データ、３１０は分析装置設定ユニット、４０１，４０５は体温分布色、４０２，４０６は対応体温値、４０３、５０１，７０１はデータ取得時刻、４０４は分析座標、５０２，６０１は位置情報送信装置番号、５０３は位置座標、６０２，７０２は対象者、７０３は体温値、をそれぞれ表す。
【００１２】
図１において、赤外線カメラ１０１を用いて室内を上方部より撮影する。赤外線カメラ１０１は、複数の対象者が全員撮影できる場所に設置する。赤外線カメラ１０１で撮影された画像情報は、ケーブル１０６を経由して体温分析装置１０４に送信される。図８に赤外線カメラで撮影された複数の対象者の撮影画像の例を示す。
【００１３】
撮影領域に存在する複数の体温測定対象者には、それぞれ位置情報送信装置１０２を装着する。位置情報送信装置１０２は例えば対象者が装着する名札と一体化するなどして装着してもよい。位置情報送信装置１０２が無線で送信した位置情報は、位置情報受信装置１０３が受信する。位置情報受信装置１０３が受信した位置情報は、ケーブル１０６を経由して体温分析装置１０４に送信される。位置情報受信装置１０３と体温分析装置１０４の間はケーブル１０６に代えて無線で接続されてもよい。
【００１４】
詳細は後述するが体温分析装置１０４が複数の測定対象者の内で体温に異常ありと判断した場合は、体温に異常が発生した個人を識別し、その情報を情報通知装置１０５に送信する。情報通知装置１０５は体温分析装置１０４に内蔵されていてもよい。情報通知装置１０５は、無線を介して携帯端末１０７に対して体温異常発生者、測定時間、測定体温などの情報を送信する。
【００１５】
図３に本発明の実施形態に係る体温分析装置の内部構成を示し、この体温分析装置１０４は、赤外線カメラ１０１からの熱分布画像信号を読み取る画像読取処理ユニット３００と、画像読取処理ユニット３００からのデータと画像分析設定テーブル３０２に基づいて体温分析テーブル３０１を作成する体温分析処理ユニット３０３と、位置情報送信装置１０２からの測定対象者の位置情報を読み取って位置情報読取テーブル３０５を作成する位置情報読取処理ユニット３０４と、上述の体温分析テーブル３０１と位置情報読取テーブル３０５と予め設定されている個人情報テーブル３０６（図６を参照）とに基づいて体温の異常者を特定して体温情報送信用データ３０８を作成する個人識別処理ユニット３０７と、体温分析装置の各内部構成要素の各種条件（例えば、体温異常と判断する体温を３７．５℃以上とする条件）を設定する分析装置設定ユニット３１０と、から構成される。
【００１６】
図４の（１）は画像分析設定テーブル３０２の内容を示しており、熱画像分析において、体温分布色４０１で例えば、分布色テクスチャ（色合い）がオレンジの場合に、対応する体温値は３８．７〜３８．９℃であるという、予め設定された体温分布色４０１と対応体温値４０２との関係を示すテーブルである。また、図４の（２）は、体温分析処理ユニット３０３で作成された体温分析テーブル３０１の内容を示しており、データ取得時刻４０３、分析座標４０４、体温分布色４０５、対応体温値４０６からなるものである。ここで、データ取得時刻４０３、分析座標４０４及び体温分布色４０５は、画像読取処理ユニット３００からの出力データに相当するものであり、また、対応体温値４０６は画像分析設定テーブル３０２から体温分布色に対応する値が得られるものである。
【００１７】
図５は位置情報読取処理ユニット３０４で作成された位置情報読取テーブル３０５の内容を示しており、データ取得時刻５０１、位置情報送信装置Ｎｏ５０２（例えば、Ａ０１，Ａ０２など）、位置座標５０３（例えば、横１・縦３、横３・縦５など）からなるものである。これらのデータは位置情報送信装置１０２と位置情報受信装置１０３からの情報に基づいている。
【００１８】
図６は個人情報テーブル３０６の内容を示しており、赤外線カメラでの撮影領域に存する個別の測定対象者６０２（例えば、Ａさん、Ｂさんなど）と対象者に装着された位置情報送信装置Ｎｏ６０１（例えば、Ａ０１，Ａ０２など）との関連付けを表すテーブルである。
【００１９】
図７は個人識別処理ユニット３０７で作成された体温情報送信用データ３０８の内容を示しており、データ取得時刻７０１、対象者７０２（例えば、Ａさん、Ｂさんなど）、体温値７０３（例えば、３８．０℃、３７．８℃など）を含む。個人識別処理ユニット７０１では体温が異常（例えば、３７．５℃以上（分析装置設定ユニット３１０で任意の値に設定可能））である対象者のみを選択して、この異常対象対象者に関するデータ取得時刻７０１とその体温値７０３を携帯端末１０７に向けて送信する。
【００２０】
次に、本発明の実施形態に係る体温分析装置並びに体温測定システムの動作について、図２を参照しながら以下説明する。まず、赤外線カメラ１０１で撮影した画像（ステップＳ２０１）を体温分析装置１０４に送信する。体温分析装置１０４の画像読取処理ユニット３００が動画を取り込み（Ｓ２０２）、設定されたタイミング（例えば、適宜の時刻または適宜の時間間隔）で静止画を切り出す（Ｓ２０３）。静止画を切り出すタイミングは、体温分析装置１０４内の分析装置設定ユニット３１０によって設定する。
【００２１】
切り出された静止画上に示された体温分布図を、体温分析装置１０４の画像読取処理ユニット３００が読み取って（Ｓ２０４）、画像分析設定テーブル３０２と照合する（Ｓ２０５）。ここで、画像分析設定テーブル３０２の具体的内容は図４の（１）に示すように、体温分布色と対応体温値である。体温分析処理ユニット３０３が読み取った体温分布と画像分析設定テーブルとを照合した結果、体温分析テーブル３０１を作成する（Ｓ２０６）。
【００２２】
ここで、体温分析テーブル３０１の具体的内容は図４の（２）に示すように、テータ取得時刻４０３、分析座標４０４、体温分布色４０５、対応体温値４０６からなる。このように、静止画像に示された全ての測定対象者の体温を一括してテーブルとして作成する。なお、画像読取処理ユニット３００は、体温分析テーブル３０１におけるデータ取得時刻４０３、分析座標４０４及び体温分布色４０５に相当するものをデータとして出力する。読み取られた体温分布色は赤外線カメラからの隔たり距離に応じて多少変化するため、同時に読み取られた分析座標から当該隔たり距離が分かるので、当該分析座標の数値を元に体温分布色を補正するようにすればよい。これらの関係は予め求めておくことができる。
【００２３】
さらに、体温分析処理ユニット３０３は、作成した体温分析テーブル３０１に基づいて、全ての測定対象者の内で体温に異常がある対象者が存在するか否かを判定し（Ｓ２０７）、体温に異常がない場合は開始に戻る。
【００２４】
体温に異常のあった対象者が存在する場合は、体温異常者の体温分析テーブルと、図３に示す位置情報読取テーブル３０５とを照合する（Ｓ２０８）。ここで、如何なる体温値をもって異常と判定するかは、体温分析装置１０４の分析装置設定ユニット３１０に設定値を入力することによって任意に設定可能である（例えば、３７．５℃以上を体温異常値とする）。
【００２５】
位置情報読取テーブル３０５は、画像読取処理と同期して進められ、位置情報送信装置１０２及び位置情報受信装置１０３から送られた測定対象者の位置情報（Ｓ２２１，Ｓ２２２）を、位置情報読取処理ユニット３０４で読み取って（Ｓ２２３）、位置情報読取テーブル３０５を作成する（Ｓ２２４）。ここで、位置情報読取テーブル３０５の具体的内容は図５に示すように、テータ取得時刻５０１、位置情報送信装置Ｎｏ５０２（例えば、Ａ０１，Ａ０２など）、位置座標５０３（例えば、横１・縦３、横３・縦５など）などである。
【００２６】
このように、体温異常者が存在した場合にのみ、体温分析テーブル３０１と位置情報読取テーブル３０５とを照合する（Ｓ２０８）のは、図３に示す個人識別処理ユニット３０７で行う。この結果、個人識別処理ユニット３０７は、データ取得時刻、位置情報送信装置Ｎｏ、対応体温値などのデータを割り出すことができる。次いで、個人識別処理ユニット３０７は、上述の割り出されたデータと、個人情報テーブル３０６とを照合比較して（Ｓ２０９）、体温異常の個人名を特定することができる（Ｓ２１０）。ここで、個人情報テーブル３０６の具体的内容は図６に示すように、位置情報送信装置Ｎｏ６０１（例えば、Ａ０１，Ａ０２など）と対象者６０２（例えば、Ａ０１，Ａ０２など）などである。
【００２７】
このように、個人識別処理ユニット３０７は、個人情報テーブル３０６との照合によって体温に異常が認められた個人を識別することができ、この識別結果を個人情報送信用データ３０８として情報通知装置１０５に送信する（Ｓ２１１）。ここで、個人情報送信用データ３０８の具体的内容は図７に示すように、データ取得時刻７０１と、対象者７０２（例えば、Ａさん、Ｂさんなど）と、体温値（例えば、３８．０℃、３７．８℃など）を含む。図１に示すように、体温異常の個人情報は、最終的に携帯端末１０７に送信される。
【００２８】
以上の説明では、一実施の形態として主として体温分析装置について述べたが、体温分析装置を含めた体温測定システムは、次のような構成と機能を備えたものである。すなわち、赤外線カメラと、赤外線カメラで撮影した熱分布画像を体温分析装置に送信する手段と、熱分布画像を読み取って体温の異常の有無を判定する手段と、体温測定対象者の位置を送信する位置情報送信装置と、位置情報受信装置と、位置情報受信装置から体温分析装置へ位置情報を送信する手段と、熱分布画像を元に書き出した体温分析データと位置情報データと個人情報データを照合して体温に異常が発生した個人を識別する手段と、体温異常に関する体温情報送信用データを生成して携帯端末に情報を送信する手段を備えている。
【図面の簡単な説明】
【００２９】
【図１】本発明の実施形態に係る複数人の体温測定システムの全体構成を示すブロック図である。
【図２】本実施形態に係る体温測定システムの動作手順をしめすフローチャートである。
【図３】本実施形態に係る体温分析装置の内部構成を示す図である。
【図４】本実施形態に係る体温分析装置に用いられる画像分析設定テーブルと体温分析テーブルを示す図である。
【図５】本実施形態に係る体温分析装置に用いられる位置情報読取テーブルを示す図である。
【図６】本実施形態に係る体温分析装置に用いられる個人情報テーブルを示す図である。
【図７】本実施形態に係る体温分析装置から出力される体温情報送信用データを示す図である。
【図８】赤外線カメラで撮影された画像を示す図である。
【符号の説明】
【００３０】
１０１  赤外線カメラ
１０２  位置情報送信装置
１０３  位置情報受信装置
１０４  体温分析装置
１０５  情報通知装置
１０６  ケーブル
１０７  携帯端末
３００  画像読取処理ユニット
３０１  体温分析テーブル
３０２  画像分析設定テーブル
３０３  体温分析処理ユニット
３０４  位置情報読取処理ユニット
３０５  位置情報読取テーブル
３０６  個人情報テーブル
３０７  個人識別処理ユニット
３０８  体温情報送信用データ
３１０  分析装置設定ユニット
４０１，４０５  体温分布色
４０２，４０６  対応体温値
４０３、５０１，７０１  データ取得時刻
４０４  分析座標
５０２，６０１  位置情報送信装置Ｎｏ
５０３  位置座標
６０２，７０２  対象者
７０３  体温値
【図１】
2006174919.tif 000003
【図２】
2006174919.tif 000004
【図３】
2006174919.tif 000005
【図４】
2006174919.tif 000006
【図５】
2006174919.tif 000007
【図６】
2006174919.tif 000008
【図７】
2006174919.tif 000009
【図８】
2006174919.tif 000010